(57)【要約】 【課題】  一組のスイッチ端子（４、５）の可動接点（１１）と固定接点（１２）の撓み方向と、複数のコンタクト端子（６）の撓み方向が同一方向であっても、同一金属板から打ち抜きインサート成形で絶縁ハウジング（２）に一体に取り付けることが可能な端子取付方法を提供する。【解決手段】  スイッチ端子（４、５）の一方を連結片（２４）を介して打ち抜いた後、可動接点（１１）と固定接点（１２）とが打ち抜き方向で対向するように連結片（２４）を折り曲げ、絶縁ハウジング（２）にインサート成形する。【選択図】  図５
2006324043.tif 000002
【特許請求の範囲】
【請求項１】
ＩＣカード（１０）が装着される収容凹部（７）を絶縁ハウジング（２）に形成し、
収容凹部（７）に装着されるＩＣカード（１０）の電極に接触する可動接触部（６ｃ）を収容凹部（７）内に臨ませた複数のコンタクト端子（６）と、
収容凹部（７）に装着されるＩＣカード（１０）の先端が当接することにより片持ち支持される可動接点（１１）が絶縁ハウジング（２）の厚さ方向に変位する可動端子（４）と、
固定接点（１２）が絶縁ハウジング（２）の厚さ方向で可動接点（１１）に対向する固定端子（５）とを、絶縁ハウジング（２）に一体に取り付け、
可動接点（１１）と固定接点（１２）との接触から収容凹部（７）へのＩＣカード（１０）の装着を検出するＩＣカードコネクタ（１）を製造するＩＣカードコネクタの端子取付方法であって、
イ、複数のコンタクト端子（６）と可動端子（４）と固定端子（５）の各基材となる複数のコンタクト端子片（２３）と可動端子片（２１）と固定端子片（２２）を、１枚の導電性金属板からキャリア（２５）と一体に打ち抜き、可動端子片（２１）と固定端子片（２２）の一方と複数のコンタクト端子片（２３）を絶縁ハウジング（２）への各端子の取り付け位置に対応する部位に形成するとともに、可動端子片（２１）と固定端子片（２２）の他方を、キャリア（２５）に連結する連結片（２４）を介して、打ち抜き方向で他の端子片と干渉しない部位に形成し、
ロ、キャリア（２５）と一体の少なくともいずれかの端子片を折り曲げ加工し、複数のコンタクト端子（６）と可動端子（４）と固定端子（５）とし、
ハ、連結片（２４）を折り曲げ、可動接点（１１）と固定接点（１２）とが打ち抜き方向で対向する状態で、連結片（２４）に連結する可動端子片（２１）若しくは固定端子片（２２）を支持し、
ニ、複数のコンタクト端子（６）と可動端子（４）と固定端子（５）を、絶縁ハウジング（２）にインサート成形した後、各端子をキャリア（２５）若しくは連結片（２４）から切断し、
絶縁ハウジング（２）に各端子を一体に取り付けることを特徴とするＩＣカードコネクタの端子取付方法。
【発明の詳細な説明】
【技術分野】
【０００１】
本発明は、ＩＣカードの電極に接触する複数のコンタクト端子と、ＩＣカードの装着を検出する一組のスイッチ端子を、ＩＣカードが装着される収容凹部が形成される絶縁ハウジングに一体に取り付けるＩＣカードコネクタの端子取付方法に関し、更に詳しくは、各端子をインサート成形で絶縁ハウジングに一体に取り付けるＩＣカードコネクタの端子取付方法に関する。
【背景技術】
【０００２】
ＩＣカードコネクタは、携帯電話機、デジタルビデオカメラ等のポータブル電子機器に備えられ、種々のデータを記憶するＳＩＭカード、マルチメディアカード、メモリーカード等のＩＣカードを装着することにより、ＩＣカードと電子機器間でデータの入出力を行うものである。
【０００３】
このデータの入出力を行うために、ＩＣカードを装着する収容凹部が形成された絶縁ハウジングには、収容凹部に装着されるＩＣカードの電極に接触する複数のコンタクト端子と、ＩＣカードが装着されたときに、前記複数のコンタクト端子を介してデータの入出力を行うように、ＩＣカードの装着を検出する一組のスイッチ端子が取り付けられている
（例えば特許文献１参照）。
【０００４】
【特許文献１】特開２００５−５０７９０号公報（第５頁−第６頁、図４）
【０００５】
以下、この従来のＩＣカードコネクタ１００の構成について、図９で説明する。図９は、ＩＣカードコネクタ１００の平面図であり、図中Ａ方向に挿入されるＩＣカード１１０を収容凹部１０２内に装着するように、絶縁ハウジング１０１は、後方端子取り付け部分１０１Ａとその両側から前方（図中下方）に延在する一対の側壁部１０１Ｂ、１０１ＣとがＵ字状に一体に成形され、その厚みは、長方形薄型のＩＣカード１１０の厚みよりわずかに厚い薄板状に形成されている。
【０００６】
後方端子取り付け部分１０１Ａには、細長の板バネ片からなる複数のコンタクト端子１０３、１０３・・が取り付けられている。各コンタクト端子１０３は、ＩＣカード１１０の挿入方向Ａに沿って後方端子取り付け部分１０１Ａに凹設された取付溝に取り付けられ、その前端が収容凹部１０２に装着されるＩＣカード１１０の図示しない電極に弾性接触するようになっている。
【０００７】
ＩＣカード１１０の装着を検出する固定端子１０５と可動端子１０６とからなる一組のスイッチ端子が、一方の側壁部１０１Ｂに挿入方向Ａと平行に取り付けられている。固定端子１０５は、細長帯状の本体１０５ａの中間がコの字状に切り起こされた固定接点板１０５ｂとなっていて、固定接点板１０５ｂを収容凹部１０２方向へ突出させた状態で、本体１０５ｂの前後が絶縁ハウジング１０１に固定され、側壁部１０１Ｂに沿って取り付けられている。
【０００８】
また、可動端子１０６は、細長の板バネ片が固定端子１０５の本体１０５ａの収容凹部１０２寄りに配置されるように、後端が後方端子取り付け部分１０１Ａに固定され、片持ち支持された中間の当接部１０６ａが収容凹部１０２内に突出するように湾曲されている。可動端子１０６の全体は、外力を受けない自由状態で内側（図中左方）に傾斜するように取り付けられ、その先端の可動接点１０６ｂが、通常は固定端子１０５の固定接点板１０５ｂに弾性接触している。
【０００９】
これらのコンタクト端子１０３、固定端子１０５及び可動端子１０６が取り付けられた絶縁ハウジング１０１は、底面側を図示しないプリント配線基板上に配置し、後方端子取り付け部分１０１Ａから後方に突出する各端子の脚部をプリント配線基板の対応するランドパターンへ半田接続し、プリント配線基板へ実装する。
【００１０】
このように構成されたＩＣカードコネクタ１００の収容凹部１０２内に、ＩＣカード１１０を電極がコンタクト端子１０３、１０３・・に接触するまで挿入すると、ＩＣカード１１０の側面が可動端子１０６の当接部１０６ａを側方（図中右方）へ押し込み、可動接点１０６ｂが固定接点板１０５ｂから離れ、相互の接触が解かれることによりＩＣカード１１０の装着が検出される。
【発明の開示】
【発明が解決しようとする課題】
【００１１】
しかしながら、上述した従来のＩＣカードコネクタ１００は、可動端子１０６の当接部１０６ａを収容凹部１０２に装着されるＩＣカード１１０の側面に当接させて装着を検出するため、絶縁ハウジング１０１は、ＩＣカード１１０の横幅ｄに、少なくとも一組のスイッチ端子１０５、１０６を取り付ける為の横幅を加える必要があり、絶縁ハウジング１０１が大型化するものとなった。従って、ＩＣカードコネクタ１００を実装するプリント配線基板の実装面積が拡大し、ＩＣカードコネクタ１００自体も大型化することから、ＩＣカードコネクタ１００を備えたポータブル電子機器の小型化も制約されるという問題があった。
【００１２】
また、上述のＩＣカードコネクタ１００は、コンタクト端子１０３、１０３・・が、絶縁ハウジング１０１の厚さ方向（図９において紙面に直交する方向）に撓み、可動端子１０６はこの方向と直交する絶縁ハウジング１０１の側方に撓むように取り付けられるものであることから、一枚の金属板からこれらの端子を同時に打ち抜くことができず、打ち抜いてキャリアに連結したままインサート成形で絶縁ハウジング１０１に固定することはできないという問題があった。
【００１３】
そこで、一組のスイッチ端子をＩＣカード１１０の横幅ｄ内の絶縁ハウジングに取り付け、可動端子を収容凹部に挿入されるＩＣカード１１０の平面又は底面に当接させて、絶縁ハウジングの厚さ方向に変位する可動端子により、ＩＣカード１１０の装着を検出することが検討された。
【００１４】
また、このように可動端子を絶縁ハウジングの厚さ方向に撓むように取り付けることにより、絶縁ハウジングが大型化せず、プリント配線基板への実装面積も拡大しないので、前者の問題は解決できる。
【００１５】
しかしながら、後者の問題については、他のコンタクト端子と可動端子の撓み方向と一致させることができるものの、可動端子の可動接点と固定端子の固定接点とが絶縁ハウジングの厚さ方向で対向するように絶縁ハウジングに取り付ける必要があり、金属板の打ち抜き方向で重なる可動端子と固定端子は、他のコンタクト端子と共に同一金属板から打ち抜いた状態で、絶縁ハウジングにインサート成形で一体化することができない。
【００１６】
従って、インサート成形により絶縁ハウジングへ固定する場合には、一組のスイッチ端子の少なくとも一方の端子を、他方の端子とは別に金属板から打ち抜いて形成し、可動端子の可動接点と固定端子の固定接点とが絶縁ハウジングの厚さ方向で対向するように金型内で位置決めする必要があり、別工程での打ち抜き工程や位置決め工程が加わわるという課題があった。
【００１７】
そこでインサート成形を行わずに、一組のスイッチ端子の少なくとも一方の端子を、絶縁ハウジングへ圧入、係止などで取り付けることも検討されたが、薄板状のＩＣカード１１０の高さに合わせて可能な限り低背化させた絶縁ハウジングにスイッチ端子が取り付けられるので、各端子の可動接点１０６ｂや固定接点板１０５ｂが半田接続面と接近し、スイッチ端子と絶縁ハウジングの隙間に毛細管現象によりフラックスが侵入し、接点にフラックスが付着することによる接触不良が発生する恐れがあった。
【００１８】
本発明は、このような従来の問題点を考慮してなされたものであり、絶縁ハウジングを拡大させることなく、一組のスイッチ端子と複数のコンタクト端子を同一金属板から打ち抜いてインサート成形で絶縁ハウジングに一体に取り付けることが可能なＩＣカードコネクタの端子取付方法を提供することを目的とする。
【課題を解決するための手段】
【００１９】
上述の目的を達成するため、請求項１のＩＣカードコネクタの端子取付方法は、ＩＣカードが装着される収容凹部を絶縁ハウジングに形成し、収容凹部に装着されるＩＣカードの電極に接触する可動接触部を収容凹部内に臨ませた複数のコンタクト端子と、収容凹部に装着されるＩＣカードの先端が当接することにより片持ち支持される可動接点が絶縁ハウジングの厚さ方向に変位する可動端子と、固定接点が絶縁ハウジングの厚さ方向で可動接点に対向する固定端子とを、絶縁ハウジングに一体に取り付け、可動接点と固定接点との接触から収容凹部へのＩＣカードの装着を検出するＩＣカードコネクタを製造するＩＣカードコネクタの端子取付方法であって、
イ、複数のコンタクト端子と可動端子と固定端子の各基材となる複数のコンタクト端子片と可動端子片と固定端子片を、１枚の導電性金属板からキャリアと一体に打ち抜き、可動端子片と固定端子片の一方と複数のコンタクト端子片を絶縁ハウジングへの各端子の取り付け位置に対応する部位に形成するとともに、可動端子片と固定端子片の他方を、キャリアに連結する連結片を介して、打ち抜き方向で他の端子片と干渉しない部位に形成し、
ロ、キャリアと一体の少なくともいずれかの端子片を折り曲げ加工し、複数のコンタクト端子と可動端子と固定端子とし、
ハ、連結片を折り曲げ、可動接点と固定接点とが打ち抜き方向で対向する状態で、連結片に連結する可動端子片若しくは固定端子片を支持し、
ニ、複数のコンタクト端子と可動端子と固定端子を、絶縁ハウジングにインサート成形した後、各端子をキャリア若しくは連結片から切断し、
絶縁ハウジングに各端子を一体に取り付けることを特徴とする。
【００２０】
複数のコンタクト端子片と可動端子片と固定端子片は、互いに打ち抜き方向で干渉しないので、１枚の導電性金属板からキャリアと一体に打ち抜かれ、一体に連結された状態で、複数のコンタクト端子と可動端子と固定端子にそれぞれ折り曲げ加工される。
【００２１】
連結片に連結する可動端子片若しくは固定端子片は、連結片を折り曲げ、可動接点と固定接点とが打ち抜き方向で対向する状態で支持されるので、インサート成形の際の成形圧で流されることなく、対向した状態を保ったまま絶縁ハウジングに固定される。
【００２２】
可動接点が絶縁ハウジングの厚さ方向に変位し、固定接点との接触から収容凹部へのＩＣカードの装着を検出するので、可動端子と固定端子は、絶縁ハウジングのＩＣカードの横幅内に取り付けられる。
【発明の効果】
【００２３】
請求項１の発明によれば、絶縁ハウジングに取り付けられる各端子を、絶縁ハウジングに取り付けられる位置と端子形状に合わせて、キャリアと一体に連結された状態で、一括して折り曲げ加工することができる。
【００２４】
また、可動端子が、ＩＣカードの電極に接触する複数のコンタクト端子と同一方向に撓み、可動接点と固定接点がこの撓み方向で重なっても、可動端子と固定端子を、他の複数のコンタクト端子と共に、同一の金属板から打ち抜いて折り曲げ加工し、インサート成形によって絶縁ハウジングへ一体に取り付けることができる。その結果、絶縁ハウジングが薄板状で半田接続面と接近していても、フラックスが端子の接点に付着することがなく、接触不良が生じない。
【００２５】
ＩＣカードの平面又は底面に接触するコンタクト端子と同方向に可動端子を配置できるので、可動端子と固定端子をＩＣカードの挿入方向と直交する方向の横幅内の絶縁ハウジングに取り付けることができ、絶縁ハウジングを小型化できる。
【発明を実施するための最良の形態】
【００２６】
以下、本発明の実施の形態について、図面を参照しながら詳細に説明する。始めに、本発明の実施の形態に係る端子取付方法で製造されるＩＣカードコネクタ１の構造を、図１乃至図４で説明する。尚、以下の説明においては、図１に示す絶縁ハウジング２の上方を前方、下方を後方と、図２の絶縁ハウジング２の平面側（図２の左方）を上方、底面側（図２の右方）を下方として説明する。
【００２７】
ＩＣカードコネクタ１は、絶縁性合成樹脂で薄型板状の絶縁ハウジング２と、絶縁ハウジング２の上面を覆う金属プレート３と、絶縁ハウジング２に固定される可動端子４、固定端子５及び６本のコンタクト端子６、６・・から構成されている。絶縁ハウジング２には、前後方向と上方が開口する収容凹部７が凹設され、金属プレート３との間で、前方に向けて挿入される長方形板状のＩＣカード１０を収容凹部７内に装着自在としている。絶縁ハウジング２の前方は、一側（図１において左側）が前方に突出してスイッチ収容部２Ａとなり、他側は収容凹部７の前面の一部を覆うストッパー部２Ｂとなっている。また、収容凹部７のほぼ中央には、絶縁ハウジング２の底面側に貫通する６カ所の長孔８が３カ所毎に前後２列に分けて形成され、スイッチ収容部２Ａに沿って収容凹部７が底面に露出するスイッチ収容凹部９が形成されている。
【００２８】
金属プレート３は、絶縁ハウジング２の上面を覆い収容凹部７を形成すると共に、薄型板状に形成された絶縁ハウジング２が破損しないように強度を確保するもので、金属プレート３の周囲に垂設された係止片を絶縁ハウジング２の係止溝へ圧入し、絶縁ハウジング２に固定する。
【００２９】
可動端子４は、図１、図２に示すように、後方から前方に向かって、脚部４ａと固定片４ｂと作動片４ｃが長手方向に連設された細長帯状に形成されている。固定片４ｂの前後２カ所の位置には、それぞれ側方に一対の位置決め片４ｄ、４ｄが突設され、また、固定片４ｂから前方に連設される作動片４ｃは、前方に向かって斜め上方に折り曲げられた後、その先端側が側面視「く」の字に折り曲げられ、先端部の底面が可動接点１１となっている。可動端子４は、固定片４ｃが絶縁ハウジング２の底面の一側で底面に沿って前後方向に固定されることにより、片持ち支持される作動片４ｃはスイッチ収容凹部９を挿通して収容凹部７内に臨むように付勢され、脚部４ａが絶縁ハウジング２の後端に突出する。
【００３０】
固定端子５は、側方に一対の位置決め片５ｄが突設され幅広に形成された固定片５ｂと、平面が固定接点１２となった後方のスイッチ片５ｃが、前後方向に一体に連設され、連設位置から側方に脚部５ａが突設されることにより、全体がＴ字板状に形成されている。固定端子５は、固定片５ｂが可動端子４が取り付けられる前方延長線上の絶縁ハウジング２に固定されることにより、固定接点１２が可動接点１１と上下方向で対向し、また、脚部５ａがスイッチ収容部２Ａの側方に露出する。
【００３１】
６本のコンタクト端子６、６・・は、それぞれ脚部６ａと固定部６ｂと可動接触部６ｃが一体に連設された細長帯状に形成され、このうち、前列の３本のコンタクト端子６は、逆Ｃ字状に形成された固定部６ｂの前端から脚部６ａが絶縁ハウジング２の前方に引き出されている。固定部６ｂの逆Ｃ字状の両側には、側方に一対の位置決め片６ｄ、６ｄが突設され、後方の位置決め片６ｄ、６ｄの前方は、斜め上方に折り曲げられた可動接触部６ｃとなっている。
【００３２】
また、後列３本のコンタクト端子６は、固定部６ｂが可動接触部６ｃと直線上に連続し、脚部６ａは、絶縁ハウジング２の後方から引き出される。固定部６ｂには、一対の位置決め片６ｄ、６ｄが形成されて幅広となっていて、その前方が同様に斜め上方に折り曲げられた可動接触部６ｃとなっている。
【００３３】
前後２列の各コンタクト端子６は、固定部６ｂが絶縁ハウジング２の底面に沿って固定されることにより、片持ち支持された可動接触部６ｃの先端が長孔８を挿通して収容凹部７内に臨み、収容凹部７に装着されるＩＣカード１０の底面に形成された電極に弾性接触する。
【００３４】
以下、これらの各端子４、５、６を絶縁ハウジング２の所定位置へ取り付ける端子取付方法を図５乃至図８を用いて説明する。図５は、導電性の金属板を打ち抜いて形成されるフープ材２０の要部を示す平面図であり、図示部分から１個のＩＣカードコネクタ１に用いられる各端子が形成される。フープ材２０は、図示する左右に同一形状に打ち抜かれた端子材が連続し、多数のＩＣカードコネクタ１に用いられる各端子が連続して折り曲げ加工される。
【００３５】
図５において、２１は、可動端子４の基材となる可動端子片、２２は、固定端子５の基材となる固定端子片、２３は、コンタクト端子６の基材となるコンタクト端子片である。図５を図１と比較して明らかなように、固定端子片２２を除いて、可動端子片２１とコンタクト端子片２３は、可動端子４とコンタクト端子６が絶縁ハウジング２に固定される位置に相当する位置で、平面側が一致するようにキャリア２５に一体に連結された状態で打ち抜かれる。
【００３６】
可動端子片２１とコンタクト端子片２３は、キャリア２５に一体に連結されたまま、次工程で折り曲げ加工し可動端子４とコンタクト端子６とするので、それぞれ折り曲げ加工前の展開形状と一致する輪郭に形成される。
【００３７】
固定端子片２２は、他の端子片２１、２３とともに同時に金属板からキャリア２５と一体に打ち抜かれるが、固定端子５が絶縁ハウジング２に固定される位置に相当する位置の側方で連結片２４を介して打ち抜かれる。後述するように、固定端子片２２の平面側は、絶縁ハウジング２に固定される固定端子５の底面側となるので、固定端子片２２の輪郭形状は、固定端子５と左右対称形状となるように打ち抜かれる。
【００３８】
続いて、各端子片２１、２２と連結片２４をキャリア２５に連結したまま折り曲げ加工し、可動端子４、固定端子５及びコンタクト端子６を形成する。すなわち、可動端子片２１の中間から側方に突設された一対の位置決め片２１ｄ、２１ｄから前方（図中上方）を、前方に向かって斜め上方に折り曲げられた後、その先端側が側面視「く」の字に折り曲げて作動片４ｃとし、先端部の底面を可動接点１１とする。また、各コンタクト端子片２３は、一対の位置決め片２３ｄ、２３ｄから先端側を斜め上方に折り曲げて可動接触部６ｃとする。
【００３９】
可動端子４を折り曲げ形成した後、図６、図７に示すように、固定端子片２２が可動端子４の作動片４ｃ下方に配置されるように、連結片２４の中間をＵ字状に折り返す。連結片２４が折り返されることにより、固定端子片２２は、平面と底面が反転した固定端子５となり、固定端子５が絶縁ハウジング２に固定される位置に相当する位置に、連結片２４を介して位置決めされる。従って、固定端子５の固定接点１２は、可動端子４の可動接点１１と所定間隔を隔てて上下方向で対向する。
【００４０】
折り曲げ加工された可動端子４、固定端子５及びコンタクト端子６は、キャリア２５に一体に連結された状態で、絶縁ハウジング２を成型する金型内に収容され、絶縁ハウジング２にインサート成形される。成形の際に、各端子４、５、６は、キャリア２５と連結片２４で位置決めされると共に、各端子４、５、６の位置決め片４ｄ、５ｄ、６ｄを金型の位置決めピンで挟持し固定するので、成形圧により流動することなく、図８に示すように絶縁ハウジング２の所定位置に固定される。図８において、位置決め片４ｄ、５ｄ、６ｄに形成されている絶縁ハウジング２の孔は、位置決めピンの抜き孔である。
【００４１】
このようにして絶縁ハウジング２に可動端子４、固定端子５及び６本のコンタクト端子６、６・・を固定したＩＣカードコネクタ１は、絶縁ハウジング２の平面を金属プレート３で覆った後、各端子の脚部４ａ、５ａ、６ａを、対向するプリント配線基板のランドパターンへ半田接続し、プリント配線基板上に実装する。
【００４２】
上述の構成のＩＣカードコネクタ１は、ＩＣカード１０が装着されていない状態では、可動端子４の作動片４ｃは上方に付勢されているので、可動接点１１は固定接点１２の上方で離間し、両者は絶縁されている。
【００４３】
図４に示すように、ＩＣカードコネクタ１の収容凹部７へＩＣカード１０を挿入すると、ＩＣカード１０は収容凹部７の内側面に案内され、その先端がストッパー部２Ｂに当接する位置で、収容凹部７内に装着される。ＩＣカード１０が収容凹部７内に完全に装着された位置で、６本のコンタクト端子６、６・・の可動接触部６ｃは、それぞれＩＣカード１０の底面に露出する図示しない電極に接触する。一方、ＩＣカード１０を収容凹部７へ挿入すると、ＩＣカード１０の先端が作動片４ｃの傾斜部に当接し、片持ち支持された作動片４ｃ全体を下方へ押し下げる。従って、作動片４ｃに形成された可動接点１１は、固定接点１２に接触し、この接触によりＩＣカード１０の収容凹部７への装着が検出され、コンタクト端子６、６・・とＩＣカード１０の電極とのデータ入出力が行われる。
【００４４】
上記実施の形態では、連結片２４を折り曲げて固定端子片２２を可動端子４の下方に配置したが、連結片２４を折り曲げて可動端子片２１を、絶縁ハウジング２に固定される位置に相当する位置に打ち抜かれた固定端子片２２の上方に位置決めし、インサート成形してもよい。
【００４５】
また、連結片２４が折り曲げられることにより移動する固定端子片２２又は可動端子片２１は、他の基材と打ち抜き方向で重ならず、連結片２４を折り曲げることにより、可動接点１１と固定接点１２が上下方向で対向するものであれば、いずれの位置で打ち抜いてもよい。
【００４６】
更に、上述の実施の形態では、固定端子片２２自体に弾性が要求されないので、折り曲げ加工を行わなかったが、連結片２４を折り返す前に、弾性が求められる固定端子５の形状に合わせて折り曲げ加工を行うものであってもよい。
【産業上の利用可能性】
【００４７】
本発明は、ＩＣカードを装着するＩＣカードコネクタの絶縁ハウジングに複数の端子をインサート成形する端子取付方法に適している。
【図面の簡単な説明】
【００４８】
【図１】ＩＣカードコネクタ１の平面図である。
【図２】可動端子４と固定端子５に沿って切断したＩＣカードコネクタ１の縦断面図である。
【図３】固定端子５の固定片５ｂに沿って切断したＩＣカードコネクタ１の縦断面図である。
【図４】ＩＣカードコネクタ１の斜視図である。
【図５】フープ材２０の平面図である。
【図６】連結片２４を折り返したフープ材２０の平面図である。
【図７】図６のＡ−Ａ線に沿って切断した端面図である。
【図８】金属プレート３を除いたＩＣカードコネクタ１の平面図である。
【図９】従来のＩＣカードコネクタ１００の平面図である。
【符号の説明】
【００４９】
１      ＩＣカードコネクタ
２      絶縁ハウジング
４      可動端子
５      固定端子
６      コンタクト端子
６ｃ    可動接触部
７      収容凹部
１０    ＩＣカード
１１    可動接点
１２    固定接点
２１    可動端子片
２２    固定端子片
２３    コンタクト端子片
２４    連結片
２５    キャリア
【図１】
2006324043.tif 000003
【図２】
2006324043.tif 000004
【図３】
2006324043.tif 000005
【図４】
2006324043.tif 000006
【図５】
2006324043.tif 000007
【図６】
2006324043.tif 000008
【図７】
2006324043.tif 000009
【図８】
2006324043.tif 000010
【図９】
2006324043.tif 000011